(57)【要約】【課題】収納部を構成する前板が固定部材により床面に固定された収納部付き便器装置を提供すること。【解決手段】便器１０と、タンク２０と、を備える収納部付き便器装置１００は、固定部材６００Ｒ、６００Ｌにより床面Ｆに固定された収納部５０を有する。また、収納部５０は、前面側に配置される前板５１１を備える。また、固定部材６００Ｒ，６００Ｌは、前板５１１の底面に固定される前板固定部６１０Ｒ，６１０Ｌと、床面Ｆに固定される床固定部６２０Ｒ，６２０Ｌと、を備える。【選択図】図２
2015183509.tif 000002
【特許請求の範囲】
【請求項１】
便器と、
前記便器の後方に設けられ、固定部材により床面に固定された収納部と、
前記収納部に収納され、前記便器の洗浄水を貯留するタンクと、を備える収納部付き便器装置であって、
前記収納部は、前面側に配置される前板を備え、
前記固定部材は、前記前板の底面に固定される前板固定部と、前記床面に固定される床固定部と、を備える収納部付き便器装置。
【請求項２】
前記前板固定部は、前記床固定部より上方に配置されると共に、前記床面から離間して配置される請求項１に記載の収納部付き便器装置。
【請求項３】
前記固定部材は、前記前板固定部を挟んで前記床固定部と反対の端部側に配置されると共に、前記床面に当接して配置される床当接部をさらに備える請求項１又は２に記載の収納部付き便器装置。
【請求項４】
前記床固定部は、前記前板の側方に配置される請求項１から３のいずれかに記載の収納部付き便器装置。
【請求項５】
前記収納部は、前記前板に直交して配置されて前記収納部の内部を仕切る一対の仕切り板をさらに備え、
前記仕切り板は、前記床面から離間して配置される請求項１から４いずれかに記載の収納部付き便器装置。
【発明の詳細な説明】
【技術分野】
【０００１】
本発明は、収納部付き便器装置に関する。
【背景技術】
【０００２】
従来、便器と、便器に供給する洗浄水を貯留するタンクと、タンク等を収納する収納部と、を備える収納部付き便器装置が知られている。また例えば、収納部の内部空間を区画すると共に、タンクの側面を覆うように配置される仕切り板を有する収納部付き便器装置が提案されている（例えば、特許文献１参照）。
【０００３】
特許文献１の収納部付き便器装置では、仕切り板の一部であって床面まで延出する延出部が固定部材により床面に固定されることで、収納部が床面に固定される。また、仕切り板における延出部を除く部分は床面から離間しており、仕切り板と床面との間に開口が形成される。作業者は、この開口から手を挿入して、給水ホース等の取り回し作業を行う。
【先行技術文献】
【特許文献】
【０００４】
【特許文献１】特開２０１２−０５７２９４号公報
【発明の概要】
【発明が解決しようとする課題】
【０００５】
しかしながら、特許文献１の収納部付き便器装置では、仕切り板の延出部が床面まで延出しているため、仕切り板と床面との間に形成される開口の大きさは制限される。そのため、作業者がかかる開口から手を挿入して行う給水ホース等の取り回し作業は、施工性が悪かった。
【０００６】
そこで、仕切り板の代わりに前板を固定部材で床面に固定できれば、仕切り板の延出部は不要となり、開口を大きく確保できる。ひいては、作業者がかかる開口から手を挿入して行う給水ホース等の取り回し作業の施工性を向上できる。
【０００７】
本発明は上記に鑑みてなされたものであり、その目的は、収納部を構成する前板が固定部材により床面に固定された収納部付き便器装置を提供することにある。
【課題を解決するための手段】
【０００８】
上記目的を達成するため本発明は、便器（例えば、後述の便器１０）と、前記便器の後方に設けられ、固定部材（例えば、後述の固定部材６００Ｒ，６００Ｌ）により床面（例えば、後述の床面Ｆ）に固定された収納部（例えば、後述の収納部５０）と、前記収納部に収納され、前記便器の洗浄水を貯留するタンク（例えば、後述のタンク２０）と、を備える収納部付き便器装置（例えば、後述の収納部付き便器装置１００）であって、前記収納部は、前面側に配置される前板（例えば、前板５１１）を備え、前記固定部材は、前記前板の底面に固定される前板固定部（例えば、後述の前板固定部６１０Ｌ，６１０Ｒ）と、前記床面に固定される床固定部（例えば、後述の床固定部６２０Ｌ，６２０Ｒ）と、を備える収納部付き便器装置を提供する。
【０００９】
前記前板固定部は、前記床固定部より上方に配置されると共に、前記床面から離間して配置されることが好ましい。
【００１０】
前記固定部材は、前記前板固定部を挟んで前記床固定部と反対の端部側に配置されると共に、前記床面に当接して配置される床当接部（例えば、床当接部６３０Ｒ，６３０Ｌ）をさらに備えることが好ましい。
【００１１】
前記床固定部は、前記前板の側方に配置されることが好ましい。
【００１２】
前記収納部は、前記前板に直交して配置されて前記収納部の内部を仕切る一対の仕切り板（例えば、後述の仕切り板５２Ｌ，５２Ｒ）をさらに備え、前記仕切り板は、前記床面から離間して配置されることが好ましい。
【発明の効果】
【００１３】
本発明によれば、収納部を構成する前板が固定部材により床面に固定された収納部付き便器装置を提供できる。ひいては、作業者が仕切り板と床面との間に形成される開口から手を挿入して行う給水ホース等の取り回し作業の施工性を向上できる。
【図面の簡単な説明】
【００１４】
【図１】本発明の一実施形態に係る収納部付き便器装置を示す斜視図である。
【図２】上記実施形態に係る収納部付き便器装置の分解斜視図である。
【図３】上記実施形態に係る収納部が固定部材により床面に固定された状態を示す図である。
【図４】上記実施形態に係る固定部材を示す斜視図である。
【図５】従来の収納部付き便器装置を示す部分斜視図である。
【発明を実施するための形態】
【００１５】
以下、本発明の収納部付き便器装置の好ましい一実施形態について、図面を参照しながら説明する。
まず、本発明の一実施形態に係る収納部付き便器装置１００の全体構成について、図１及び図２を参照しながら説明する。
【００１６】
本実施形態の収納部付き便器装置１００は、図１及び図２に示すように、便器１０と、タンク２０と、手洗い器３０と、排水管４０と、収納部５０と、を備える。収納部付き便器装置１００は、後述する固定部材６００Ｒ，６００Ｌにより床面Ｆに固定された収納部５０を有する収納部付き便器装置である。
【００１７】
便器１０は、便器本体１１と、この便器本体１１の上部に便器本体１１に対して開閉可能に取り付けられる便座（図示せず）及び便蓋１２と、を含んで構成される。
【００１８】
タンク２０は、便器１０の後方かつ上方に配置され、便器本体１１を洗浄する洗浄水を貯留する。このタンク２０は、タンク本体２１と、蓋部２２と、を備える。タンク本体２１は、上面が開口した箱状に形成され、洗浄水を貯留する。蓋部２２は、タンク本体の上面に配置され、タンク本体２１の上面を覆う。
【００１９】
手洗い器３０は、図１及び図２に示すように、タンク２０の側方かつ上方に配置される。この手洗い器３０は、手洗い鉢３１と、手洗い吐水管３２と、を備える。
【００２０】
手洗い鉢３１は、手洗い吐水管３２から吐出される手洗い水を受ける。この手洗い鉢３１の底部には、排水口３１１が形成されている。
手洗い吐水管３２は、手洗い鉢３１から起立するように配置される。この手洗い吐水管３２の先端部は、下方に開口している。
手洗い吐水管３２の基端部は、手洗い側給水配管（図示せず）を介してタンク２０に洗浄水を供給する給水部（図示せず）に接続される。
【００２１】
手洗い器３０には、タンク２０に供給される洗浄水の一部が、手洗い側給水配管３３，３４を介して手洗い吐水管３２に供給される。これにより、給水部の動作によりタンク２０に洗浄水が貯留される場合に、この貯留される洗浄水の一部が手洗い吐水管３２から吐出される。
【００２２】
排水管４０は、タンク２０と手洗い器３０とを接続する。排水管４０は、手洗い器３０から排出される排水をタンク２０に導く。
【００２３】
収納部５０は、便器１０の後方に配置され、タンク２０及び排水管４０を収納する。また、この収納部５０の上部には手洗い器３０が配置される。
収納部５０は、例えば、収納部付き便器装置１００を設置するトイレルームの一の壁面に沿うように配置される。
【００２４】
収納部５０は、収納部本体５１と、この収納部本体５１の内部空間を幅方向に区画する一対の仕切り板５２Ｌ，５２Ｒと、これら一対の仕切り板５２Ｌ，５２Ｒをつなぐ背板５３と、を備える。ここで、本明細書において幅方向とは、便器１０の前後方向及び上下方向に直交する方向を意味する。
【００２５】
収納部本体５１は、前板５１１と、一対の扉板５１２Ｌ，５１２Ｒと、天板５１３と、を含んで構成される。
【００２６】
前板５１１は、収納部本体５１（収納部５０）における前側に配置される。前板５１１は、タンク２０の前面側に配置される。前板５１１は、タンク２０の前面を覆う。前板５１１の幅は、便器本体１１の幅よりも若干広く形成される。
【００２７】
また、前板５１１における幅方向の両端部は、床面Ｆ近傍まで延びて配置される。具体的には、前板５１１は、幅方向の両端部に配置され、下端部が床面Ｆ近傍に配置される延出部５１１ａ，５１１ｂを有する。延出部５１１ａ，５１１ｂは、後述する固定部材６００Ｒ，６００Ｌにより床面Ｌに固定される部分である。より詳しくは、延出部５１１ａ，５１１ｂそれぞれの端面である底面５１１ｃ，５１１ｄそれぞれは、固定部材６００Ｒ，６００Ｌにより、床面Ｆに固定される。
【００２８】
上述の通り、延出部５１１ａ，５１１ｂは、床面Ｆから離間して配置される。具体的には、延出部５１１ａ，５１１ｂは、床面Ｆから離間して、固定部材６００Ｒ，６００Ｌにより床面Ｆに固定される。
延出部５１１ａ，５１１ｂは、例えば、床面から５ｍｍ程度離間して、固定部材６００Ｒ，６００Ｌにより床面Ｆに固定される。
ただしこれに限定されず、前板５１１の一部が床面Ｆに当接していてもよい。
【００２９】
一対の扉板５１２Ｌ，５１２Ｒそれぞれは、前板５１１の両側部にそれぞれ配置される。扉板５１２Ｌ，５１２Ｒそれぞれは、その表面が前板５１１の表面と面一になるように配置される。一対の扉板５１２Ｌ，５１２Ｒは、前板５１１に対してヒンジ（図示せず）を介して連結される。これにより、一対の扉板５１２Ｌ，５１２Ｒは、前板５１１に対して開閉可能に連結される。
【００３０】
扉板５１２Ｌ，５１２Ｒは、収納部本体５１の内部において一対の仕切り板５２Ｌ，５２Ｒの幅方向の外側に形成される物品収納空間の前側に開閉可能に配置される。扉板５１２Ｌ，５１２Ｒを開閉させることで、使用者は、物品収納空間に物品を出し入れできる。
【００３１】
天板５１３は、収納部５０の上面を構成する。天板５１３は、収納部本体５１の上面のうち、手洗い器３０が配置されていない位置に配置される。本実施形態では、手洗い器３０は、図１に示すように、収納部５０を便器１０側から視た場合における左側の上部に配置されており、天板５１３は、収納部５０の上面の中央部及び右側を覆うように配置される。この天板５１３は、後述する背板５３の上面に、図示しない面ファスナーにより取り付け固定される。
【００３２】
一対の仕切り板５２Ｌ，５２Ｒは、前板５１１の幅方向のそれぞれの端部に、前板５１１に直交して配置される。一対の仕切り板５２Ｒ，５２Ｌは、前板５１１及び背板５３の幅方向のそれぞれの端部同士をつないで配置される。
一対の仕切り板５２Ｌ，５２Ｒは、タンク２０を幅方向に挟むように配置される。
また、一対の仕切り板５２Ｌ，５２Ｒは、収納部本体５１の内部を幅方向に区画する。一対の仕切り板５２Ｌ，５２Ｒは、収納部本体５１の内部を区画することで、一対の仕切り板５２Ｌ，５２Ｒの幅方向の外側に、物品を収納可能な物品収納空間を形成する。
【００３３】
仕切り板５２Ｌ，５２Ｒの上端部は、タンク２０の上端部よりも高い位置に位置する。また、一対の仕切り板５２Ｌ，Ｒの上面には、天板５１３が取り付けられる。
【００３４】
仕切り板５２Ｌ，５２Ｒの下端部は、床面から離間して配置される。本実施形態において、仕切り板５２Ｌ，５２Ｒにおける下端部の全ては、床面Ｆから所定距離だけ離間している。
ここで、仕切り板５２Ｌ，５２Ｒの下端部の全てが床面Ｆから離間して配置されるので、仕切り板５２Ｒ，５２Ｌと床面Ｆとの間には、従来よりも大きな開口Ｋが形成される（図２及び図５参照）。開口Ｋは、後述の通り、図示しない給水ホースの取り回し（取り付け・取り外し）作業において、作業者が作業をする領域であり、大きい（広い）方が好ましい。
【００３５】
背板５３は、収納部５０における後面側に配置される。背板５３は、タンク２０の後面側における上方に配置され、便器１０の後方の壁面に固定される。背板５３は、一対の仕切り板５２Ｌ，５２Ｒの上部をつなぐ。言い換えると、背板５３は、一対の仕切り板５２Ｌ，５２Ｒにより、前板５１１とつながれている。
【００３６】
なお、収納部５０の側面は、トイレルームの壁面を利用することで、収納部５０の側面を構成する板材を含むことなく収納部本体５１を構成できる。
【００３７】
続けて、図３及び図４により、固定部材６００Ｒ，６００Ｌについて説明する。図３は、収納部が固定部材により床面に固定された状態を示す図である。図４は、固定部材を示す斜視図である。
【００３８】
固定部材６００Ｒ，６００Ｌは、図３及び図４に示すように、収納部５０を床面Ｆに固定する。具体的には、固定部材６００Ｒ，６００Ｌは、収納部５０における収納部本体５１を床面Ｆに固定する。詳細には、固定部材６００Ｒ，６００Ｌは、収納部本体５１における前板５１１を床面Ｆに固定する。さらに詳細には、固定部材６００Ｒ，６００Ｌは、前板５１１における延出部５１１ａ，５１１ｂを床面Ｆに固定する。
固定部材６００Ｒ，６００Ｌは、前板５１１における延出部５１１ａ，５１１ｂと床面Ｆとの間に配置される。
固定部材６００Ｒ，６００Ｌは、長手方向が前板１５５の幅方向に沿うように配置される。
【００３９】
固定部材６００Ｒ，６００Ｌは、前板固定部６１０Ｒ，６１０Ｌと、床固定部６２０Ｒ，６２０Ｌと、床当接部６３０Ｒ，６３０Ｌと、を備える。固定部材６００Ｒ，６００Ｌは、例えば、略長方形の板部材を折り曲げ加工して形成される。
【００４０】
前板固定部６１０Ｒ，６１０Ｌは、前板５１１における延出部５１１ａ，５１１ｂの底面５１１ｃ，５１１ｄに固定される部分である。前板固定部６１０Ｒ，６１０Ｌは、図示しないビス等で底面５１１ｃ，５１１ｄに固定される。
【００４１】
前板固定部６１０Ｒ，６１０Ｌは、前板５１１における延出部５１１ａ，５１１ｂの底面５１１ｃ，５１１ｄと、床面Ｆとの間に配置される。
【００４２】
前板固定部６１０Ｒ，６１０Ｌは、床固定部６２０Ｒ，６２０Ｌより上方に配置されると共に、床面Ｆから離間して配置される。
前板固定部６１０Ｒ，６１０Ｌは、上面が床固定部６２０Ｒ，６２０Ｌの上面よりも上方に突出して配置される。前板固定部６１０Ｒ，６１０は、例えば、上面が床面Ｆから５ｍｍ程度離間するよう形成される。
前板固定部６１０Ｒ，６１０Ｌは、床面Ｆから離間して配置される。固定部材６００Ｒ，６００Ｌにおいて、床固定部６２０Ｒ，６２０Ｌと床当接部６３０Ｒ，６３０Ｌは床面Ｆに当接しているが、前板固定部６１０Ｒ，６１０Ｌは、床面Ｆから離間して配置される。
これにより、前板固定部６１０Ｒ，６１０Ｌに固定された前板５１１は、床面Ｆから離間して配置される。
【００４３】
前板固定部６１０Ｒ，６１０Ｌは、前板５１１における前表面よりも後面側に配置される。つまり、前板固定部６１０Ｒ，６１０Ｌは、前板５１１における前表面から前側に突出しないように、延出部５１１ａ，５１１ｂの底面５１１ｃ，５１１ｄに固定される。これにより、前板固定部６１０Ｒ，６１０Ｌは、前板５１１における前表面から突出しないので、収納部付き便器装置１００における美観を損ねない。
【００４４】
床固定部６２０Ｒ，６２０Ｌは、前板固定部６１０Ｒ，６１０Ｌにおける一方側に連続して配置される部分である。また、床固定部６２０Ｒ，６２０Ｌは、床面Ｆに固定される部分である。床固定部６２０Ｒ，６２０Ｌは、床面Ｆに面当接すると共に、床面Ｆに図示しないビス等で固定される。
【００４５】
床固定部６２０Ｒ，６２０Ｌは、前板１５５の側方に配置される。床固定部６２０Ｒ，６２０Ｌは、幅方向において、前板１５５から幅方向外側に突出して配置される。詳細には、本実施形態において、前板固定部６１０Ｒ，６１０Ｌ及び床当接部６３０Ｒ，６３０Ｌは前板１５５から幅方向外側に突出していないが、床固定部６２０Ｒ，６２０Ｌは、前板１５５から幅方向外側に突出して配置される。ここで、本実施形態において、床固定部６２０Ｒ，６２０Ｌは、閉状態の扉板５１２Ｌ，５１２Ｒにおける下方に配置される。つまり、床固定部６２０Ｒ，６２０Ｌは、使用者から見えにくい位置に取り付けられる。床固定部６２０Ｒ，６２０Ｌは、収納部付き便器装置１００（収納部５０）の美観を損ねない配置で床面Ｆに取り付けられる。
【００４６】
床当接部６３０Ｒ，６３０Ｌは、前板固定部６１０Ｒ、６１０Ｌを挟んで床固定部６２０Ｒ，６２０Ｌと反対の端部側に配置され、床面Ｆに当接して配置される部分である。
床当接部６３０Ｒ，６３０Ｌは、床固定部６２０Ｒ，６２０Ｌと共に床面Ｆに当接する部分である。床当接部６３０Ｒ，６３０Ｌ及び床固定部６２０Ｒ，６２０Ｌは、床面Ｆから離間する前板固定部６１０Ｒ、６１０Ｌの両端に形成され、床面Ｆに当接して配置される。床当接部６３０Ｒ，６３０Ｌは、前板固定部６１０Ｒ、６１０Ｌに対して下方向に加えられる力に対し、床固定部６２０Ｒ，６２０Ｌと共に対抗する部分である。
【００４７】
また、固定部材６００Ｒ，６００Ｌは、上述の通り、収納部５０を床面Ｆに固定すると共に、床面Ｆから所定距離だけ離間して配置させる。固定部材６００Ｒ，６００Ｌは、収納部５０（前板１５５）を床面Ｆに固定する部材と、収納部５０（前板１５５）を床面から離間させるスペーサ部材とを兼ねる部材といえる。
【００４８】
続けて、収納部本体５１を床面Ｆに取り付ける作業手順について説明する。
まず、作業者は、前板５１１、一対の仕切り板５２Ｌ，５２Ｒ及び背板５３を予め組み付け、収納部５０を組み立てる。ただしこれに限定されず、予め組み立てることなく、例えば背板５３、一対の仕切り板５２Ｌ，５２Ｒ、前板５１１の順に個別に取り付けてもよい。
一対の扉板５１２Ｌ，５１２Ｒ及び天板５１３は、前板１５５が固定部材６００Ｌ，６００Ｒにより床面Ｆに固定された後に、上記組み立て中の収納部５０に取り付けられる。なお、天板５１３は、背板５３の上面に図示しない面ファスナーにより取り付け固定される。
【００４９】
続けて、作業者は、収納部５０に固定部材６００Ｌ，６００Ｒそれぞれを取り付ける。具体的には、作業者は、前板１５５における幅方向端部に固定部材６００Ｌ，６００Ｒそれぞれを取り付ける。さらに具体的には、作業者は、前板１５５における延出部５１１ａ，５１１ｂの底面５１１ｃ，５１１ｄに、固定部材６００Ｌ，６００Ｒの前板固定部６１０Ｌ，６１０Ｒそれぞれを取り付ける。
ここで、作業者は、長手方向が前板５１１の幅方向に沿うように、固定部材６００Ｌ，６００Ｒを取り付ける。また、作業者は、床固定部６２０Ｌ，６２０Ｒが前板５１１の幅方向外側に突出するように、固定部材６００Ｌ，６００Ｒを取り付ける。また、作業者は、前板固定部６１０Ｌ，６１０Ｒが前板１５５の前表面から突出しないように、固定部材６００Ｌ，６００Ｒを取り付ける。
【００５０】
続けて、作業者は、固定部材６００Ｌ，６００Ｒが取り付けられた収納部５０を床面Ｆに固定する。具体的には、作業者は、収納部５０を所定位置に位置決めした状態で、床固定部６２０Ｌ，６２０Ｒを床面Ｆに固定する。
【００５１】
これにより、収納部５０は、前板５１１が床面Ｆから離間した状態で、床面Ｆに固定される。このとき、背板５３は、便器１０の後方の壁面に固定される。
ここで、収納部付き便器装置１００（収納部５０）は、図５に示す従来の収納部６４０のように床面Ｆまで延出する延出部６６５ａ，６６５ｂを有する仕切り板６６０Ｒ，６６０Ｌと床面Ｆとを固定部材６５０Ｌ，６５０Ｒにより固定するのではない。収納部付き便器装置１００（収納部５０）は、前板５１１と床面Ｆとが固定部材６００Ｌ，６００Ｒにより固定されて構成される。これにより、収納部付き便器装置１００（収納部５０）において、仕切り板５２Ｌ，５２Ｒと床面Ｆとの間に形成される開口Ｋは、従来の開口Ｋ１よりも大きくなる。
【００５２】
続けて、作業者が給水ホースを取り回す作業について説明する。
作業者は、開口Ｋから手を入れて、給水ホースを取り回す作業を行う。ここで、開口Ｋは、図５に示す従来の開口Ｋ１よりも大きく（広く）なっているので、作業性が向上される。特に、作業者の体が大きい等の場合には、作業性が好適に向上される。これにより、本実施形態における収納部付き便器装置１００は、施工性が向上される。
【００５３】
以上の収納部付き便器装置１００によれば、以下の効果を奏する。
本実施形態の収納部付き便器装置１００は、固定部材６００Ｌ，６００Ｒにより床面Ｆに固定された収納部５０を有する。また、収納部５０は、前面側に配置される前板５１１を備える。また、固定部材６００Ｌ，６００Ｒは、前板５１１の底面に固定される前板固定部６１０Ｌ，６１０Ｒと、床面Ｆに固定される床固定部６２０Ｌ，６２０Ｒと、を備える。これにより、収納部５０を構成する前板５１１が固定部材６００Ｌ，６００Ｒにより床面Ｆに固定された収納部付き便器装置１００を提供することができる。
【００５４】
また、前板固定部６１０Ｌ，６１０Ｒは、床固定部６２０Ｌ，６２０Ｒより上方に配置されると共に、床面Ｆから離間して配置される。これにより、前板５１１は、床面Ｆから離間して固定される。また、これにより、収納部付き便器装置１００は、水漏れ等を容易に確認できると共に、床面Ｆを流れる水等に接触することによる不具合（例えば、ふやける、劣化する）の発生を抑制できる。
【００５５】
また、固定部材６００Ｌ，６００Ｒは、前板固定部６１０Ｌ，６１０Ｒを挟んで床固定部６２０Ｌ，６２０Ｒと反対の端部側に配置されると共に、床面Ｆに当接して配置される床当接部６３０Ｌ，６３０Ｒをさらに備える。これにより、固定部材６００Ｌ，６００Ｒにおける強度が向上される。固定部材６００Ｌ，６００Ｒは、前板固定部６１０Ｌ，６１０Ｒ及び床固定部６２０Ｌ，６２０Ｒだけの構成に比べて、床当接部６３０Ｌ，６３０Ｒをさらに備えることで、前板固定部６１０Ｌ，６１０Ｒの変形等を抑制できる。また、前板５１１から固定部材６００Ｌ，６００Ｒに対して加えられる荷重は、床固定部６２０Ｌ，６２０Ｒだけでなく、床当接部６３０Ｌ，６３０Ｒにおいても受けるので、固定部材６００Ｌ，６００Ｒ全体の耐荷重強度が向上する。
【００５６】
また、床固定部６２０Ｌ，６２０Ｒは、前板５１１の側方に配置される。これにより、固定部材６００Ｌ，６００Ｒは、収納部付き便器装置１００における美観を損ねることなく、収納部５０を床面Ｆに固定する。また、これにより、固定部材６００Ｌ，６００Ｒは、収納部５０を床面Ｆに取り付ける際の施工性が良好である。
【００５７】
また、収納部５０は、前板５１１に直交して配置されて収納部５０の内部を仕切る一対の仕切り板５２Ｌ，５２Ｒをさらに備え、仕切り板５１１Ｌ，５１１Ｒは、床面Ｆから離間して配置される。これにより、収納部付き便器装置１００は、大きな開口Ｋを有する。従って、収納部付き便器装置１００において、作業者がかかる開口Ｋに手を挿入して行う給水ホースの取り回し作業の施工性が向上する。ひいては、本実施形態に係る収納部付き便器装置１００の施工性が向上する。
【００５８】
以上、収納部付き便器装置１００における好ましい一実施形態について説明したが、本発明は、上述した実施形態に制限されるものではなく、適宜変更が可能である。
例えば、本実施形態の収納部付き便器装置１００において、仕切り板５１１Ｌ，５１１Ｒの下端部は全て床面Ｆから離間しているが、これに限定されない。収納部付き便器装置１００は、例えば、従来技術（図５参照）と同様に、仕切り板５１１Ｌ，５１１Ｒにおける前板側の部分（延出部６６５Ｌ，６６５Ｒに相当）が床面Ｆに当接するよう構成されていてもよい。この場合、仕切り板５１１Ｌ，５１１Ｒにおける前板側の部分（延出部６６５Ｌ，６６５Ｒに相当）の幅（前後方向の長さ）は狭い（短い）方が好ましい。
【００５９】
また、例えば、本実施形態の収納部付き便器装置１００において、前板固定部６１０Ｌ，６１０Ｒは、床固定部６２０Ｌ，６２０Ｒより上方に配置されると共に、床面Ｆから離間して配置されるが、これに限定されない。前板固定部６１０Ｌ，６１０Ｒは、上面が床固定部６２０Ｌ，６２０Ｒの上面よりも上方に配置されていればよく、床面Ｆから離間して配置されていなくてもよい。
【符号の説明】
【００６０】
１０…便器
２０…タンク
５０…収納部
５１…収納部本体
５２Ｌ，５２Ｒ…仕切り板
５３…背板
１００…収納部付き便器装置
５１１…前板
５１１ａ，５１１ｂ…延出部
５１１ｃ，５１１ｄ…底面
６００Ｌ，６００Ｒ…固定部材
６１０Ｌ，６１０Ｒ…前板固定部
６２０Ｌ，６２０Ｒ…床固定部
６３０Ｌ，６３０Ｒ…床当接部
Ｆ…床面
Ｋ…開口
【図１】
2015183509.tif 000003
【図２】
2015183509.tif 000004
【図３】
2015183509.tif 000005
【図４】
2015183509.tif 000006
【図５】
2015183509.tif 000007